(57)【要約】      （修正有）【課題】表面の天然素材が汗やムレ等に対応し爽やかで、腕へのフィット感や置き心地も快適であり、液晶画面にホコリが付いたり汚れた際は、裏面のクリーニングクロスで容易にふき取れ、きれいな画面が維持できるアームレスト、リストレストを提供する。【解決手段】１辺が１６ｃｍ程度のミニ座布団や長座布団の表面に、吸湿、発散性に優れた木綿等の天然素材の生地Ａを、裏面に超極細長繊維等の液晶画面用クリーニングクロスの生地Ｂを用い、座布団職人の綿入れ技術を生かし、ふとん綿を投入口Ｃより投入後、投入口を縫い合わせて閉じる構成とした。【選択図】図１
0003214311.tif 000002
【実用新案登録請求の範囲】
【請求項１】
１辺が１６ｃｍ程のミニ座布団や長座布団の表面に木綿等の天然素材の生地を、裏面にカメラやメガネのレンズを吹く時に用いる摩擦力をかけずに汚れがとれる超極細長繊維等の液晶画面用クリーニングクロスの生地を用い、詰め物にふとん綿を用い座布団職人の綿入れ技術を生かして綿入れしたアームレスト、リストレスト。
【請求項２】
１辺が１６ｃｍ程のミニ座布団や長座布団の表面に綿やポリエステル等の洗濯が可能な生地を、裏面にカメラやメガネのレンズを吹く時に用いる摩擦力をかけずに汚れがとれる超極細長繊維等の液晶画面用クリーニングクロスの生地を用い、詰め物にもポリエステル等の洗濯が可能な素材を用いた洗濯可能なアームレスト、リストレスト。
【請求項３】
［請求項１］及び［請求項２］のアームレスト、リストレストの中央部に普通の座布団と同様の「綴じ」を施したアームレスト、リストレスト。
【考案の詳細な説明】
【技術分野】
【０００１】  座布団や長座布団を、卓上でパソコンを使う際のキーボードやマウス用のアームレスト、リストレストとして使用できる様な小さなサイズにしたミニ座布団や長座布団の裏面に、カメラやメガネのレンズを吹く時に用いる摩擦力をかけずに汚れがとれる超極細長繊維等の液晶画面用クリーニングクロスの生地を用いたアームレスト、リストレストに関するものである。
【背景技術】
【０００２】  パソコンを長時間使用すると手首や肘、更に肩や首に疲れを感じたり痛くなることが有る。こんな時にアームレスト、リストレストを使用すると疲れ感や痛みが大幅に軽減される等の報告もあり、アームレスト、リストレストが話題になっているが、既存品は、表面にはポリウレタンなどの化学素材、中身にもポリウレタンやジェル等の化学素材が使われ、汗やムレ等への対応は不十分で爽やかさに欠けるのが現状である。
【先行技術文献】
【特許文献】
【非特許文献】
【考案の概要】
【考案が解決しようとする課題】
【０００３】  学校や職場、更に家庭でもパソコンを長時間使用する機会が増えている。パソコンを操作している時は、前かがみの姿勢になりがちで、肩こりや首の痛みが起こりやすくなるうえ、マウスの操作やキー入力でも必要以上に筋力を使い、手首や肘、肩に掛かる負担は更に増大する。こうした負担は、パソコンをする姿勢の改善とアームレスト、リストレストなどの補助具の使用で大幅に軽減するといわれ、正しい姿勢でのパソコン操作の実行と、汗やムレにも対応した爽やかで、腕にフィットする使い心地の良いアームレスト、リストレスト等の補助具が必要と考えられる。そこで日本人が昔から座る時に用いていた座布団に注目、座る人の全体重を支え、しかも心地よく座る為の職人の綿入れ技術を生かし、腕にフィットし使い心地が良く、表地や詰め物にも吸湿、発散性に優れた木綿などの天然素材を使った卓上サイズの小さなミニ座布団や長座布団を考案し、今までになかった快適なアームレスト、リストレストを提供する。【０００４】  またパソコンの液晶画面は、ホコリがつきやすく汚れやすいので、いつでも手軽にホコリを取り除き、きれいにするための道具も求められている。そこでこの考案に、液晶画面をいつでも手軽にきれいにする機能を付設したアームレスト、リストレストを考案する事で、快適で更に便利なアームレスト、リストレストを提供する。
【課題を解決するための手段】
【０００５】  本考案は、表面には吸湿、発散性に優れた木綿等の天然素材を、裏面にはカメラやメガネのレンズを拭くときに用いるクリーニングクロスを、詰め物には主に木綿等のふとん綿を用い、座布団職人の綿入れ技術を生かし、１辺が１６ｃｍ程度の卓上用の小さなミニ座布団や長座布団を作ることで、パソコンを操作する腕にフィットして使い心地が良く爽やかで、長時間のパソコン操作でも体に掛かる負担の軽減に役立つことが期待できると共に、裏面のクリーニングクロスを用い、いつでも手軽に液晶画面のホコリや汚れを取り除け、いつもきれいな液晶画面を維持する事が出来、課題を解決している。
【考案の効果】
【０００６】  単身世帯を含むパソコンの世帯普及率は、総務省の調査で昨年度末で８５％に達したとの報告がある様に、我々の生活にパソコンは欠かせない道具である。更に職場や学校でのパソコンの使用時間の長時間化のみならず、家庭での使用時間の長時間化も進み、子供のパソコンの使用時間制限や使用時間帯制限も行われる様になってきた。長時間のパソコンの使用は、様々な問題を引き起こしている。その１つに、長時間に渡るマウスの操作やキー入力で必要以上に筋力を使うことが、手首や肘、肩に掛かる負担を増大させ、首や肩のコリや腕のシビレ等のストレスのもととなっているとも言われている。そしてこうした負担はアームレスト、リストレストなどの補助具の使用でかなり軽減するともいわれている。そこで従来品のアームレスト、リストレストより爽やかで快適なアームレスト、リストレストを考えた時に着目したのが座布団である。座布団は、座る人の全体重を支え、座る人が楽に長く座れる様に、職人が中入れ綿の入れ方を考え作ってきた。この職人の長く楽に座る為の綿入れの技術を生かす事で、アームレスト、リストレストの快適さの向上が図れる。【０００７】  また、パソコンの液晶画面は、ホコリがつきやすく汚れやすいので、できるだけホコリを取り除き、きれいにする必要が有るが、クリーナーをしょっちゅう使うのは面倒だし、身近に置くには場所もいるという課題に対し、アームレスト、リストレストにクリーナーの機能を付設すれば、いつでも手軽に液晶画面をクリーニングでき、余計な場所も要らず、きれいな画面を維持できる。【０００８】  本考案は、１辺が１６ｃｍ程度のミニ座布団や長座布団の表面には、吸湿、発散性に優れた木綿等の天然素材の生地を、裏面には超極細長繊維等の液晶画面用クリーニングクロスの生地を用い、通常アームレスト、リストレストとして使用する際は、表面の天然素材が汗やムレ等にも対応し爽やか、液晶画面にホコリが付いたり汚れた際は、裏面のクリーニングクロスで容易にふき取れ、いつもきれいな画面が維持できる仕様になっている。
【図面の簡単な説明】
【０００９】
【図１】本考案の表面に天然素材の生地、裏面にクリーニングクロスの生地を用い３辺を縫い合わせ、綿入れ口に１辺を開けた四角形の側。
【写真の簡単な説明】
【００１０】
【写真１】
本考案の表面を上にした斜視写真である。
【写真２】
本考案の裏面を上にした斜視写真である。
【写真３】
本考案の中央部に生地や中入れ綿のズレを防ぐ為に普通の座布団にも施されている「綴じ」を施した考案品の表面を上にした斜視写真である。
【考案を実施するための形態】
【００１１】  １辺が１６ｃｍ程の同じ大きさの四角形の木綿等の天然素材の生地と、カメラやメガネのレンズを吹く時に用いる摩擦力をかけずに汚れがとれる超極細長繊維等の液晶画面用クリーニングクロスの生地の３辺を縫い合わせ、開いている１辺からふとん綿を座布団職人の綿入れ技術を生かし綿入れした後、開いている１辺を縫い合わせて仕上げる。
【実施例】
【００１２】  以下、添付図面及び写真に従って一実施例を説明する。
Ａは１辺が１６ｃｍ程の大きさの四角形の天然素材の生地である。
Ｂは１辺が１６ｃｍ程の大きさの四角形のクリーニングクロスの生地である。
Ｃはふとん綿の投入口である。【００１３】  本考案の一実施例は、図１の１辺が１６ｃｍ程の大きさの四角形の天然素材の生地Ａと、１辺が１６ｃｍ程の大きさの四角形のクリーニングクロスの生地Ｂの３辺を縫い合わせ、開いている１辺のふとん綿の投入口Ｃからふとん綿を投入後、投入口Ｃを縫い合わせて閉じるもので、写真１のアームレスト、リストレストとなる。【００１４】  写真３は、生地や中入れ綿のズレを防ぐ為に普通の座布団にも施されている「綴じ」を考案品の中央部に施した実施例である。
【産業上の利用可能性】
【００１５】  本考案は、職場や学校など様々な場所、事務用品や文具など様々な産業で利用可能である。
【符号の説明】
【００１６】      Ａ          １辺が１６ｃｍ程の大きさの四角形の天然素材の布
Ｂ          １辺が１６ｃｍ程の大きさの四角形のクリーニングクロスの布
Ｃ          ふとん綿の投入口
【図１】
0003214311.tif 000003